(57)【特許請求の範囲】
【請求項１】
絶縁ケ−ス内に、給電端子を構成する中継端子と該中継端子の基部に圧接接続されたブスバ−とを収容する給電端子収容部を設け、この給電端子収容部内に前記中継端子の係合部に係脱される可撓性係止部を設け、これら中継端子の基部と可撓性係止部を挾持する端子押さえ部と撓み防止部とを備えた二重係止部材を前記絶縁ケ−スの一側壁に設けたスリットより挿入自在にした絶縁ケ−スと給電端子の固定構造において、
前記ブスバ−の前記絶縁ケ−スの他側壁寄りの端部を折り曲げ形成し、この折曲部に前記二重係止部材の端子押さえ部が挿通係止される係合孔を形成したことを特徴とする絶縁ケ−スと給電端子の固定構造。
【請求項２】
請求項１記載の絶縁ケ−スと給電端子の固定構造であって、
前記ブスバ−の折曲部の一端を中継端子の電気接触部側まで延設し、この延設部に前記係合孔を形成する一方、前記絶縁ケ−スの他側壁の前記ブスバ−の折曲部の延設部に対向する位置に、該延設部を収容する凹部を形成したことを特徴とする絶縁ケ−スと給電端子の固定構造。
【請求項３】
請求項１記載の絶縁ケ−スと給電端子の固定構造であって、
前記二重係止部材の端子押さえ部を撓み防止部よりも長く形成して、前記絶縁ケ−スの他側壁の前記二重係止部材の端子押さえ部に対向する位置に、該端子押さえ部の一部を収容する凹部を形成したことを特徴とする絶縁ケ−スと給電端子の固定構造。
【発明の詳細な説明】
【０００１】
【発明の属する技術分野】
本発明は、ヒュ−ズ（回路保護部材）を搭載するヒュ−ズボックス等に用いられる絶縁ケ−スと給電端子の固定構造に関し、特に、給電端子として電源供給用のブスバ−と雌−雌中継端子を組み合わせて使用したものであってブスバ−と中継端子との不完全嵌合等を未然に防止するようにした絶縁ケ−スと給電端子の固定構造に係わる。
【０００２】
【従来の技術】
例えば、給電端子として電源供給用のブスバ−と雌−雌中継端子を組み合わせたものを用いたヒュ−ズボックスが知られている。これを、図５〜図７によって具体的に説明すると、符号１′はヒュ−ズボックスであり、そのボックス本体をなす絶縁ケ−ス２は上下端側が開口した筐型になっている。この絶縁ケ−ス２の上端開口部２ａはヒュ−ズ装着部となっていてその内部にはミニヒュ−ズＨのガタツキ防止を兼用する挿入ガイド３を備えている。また、絶縁ケ−ス２の内部には、給電端子１０を構成する各雌−雌中継端子１１と該各中継端子１１の基部１１ａ内に各分岐タブ１２ａを介してそれぞれ圧接接続された電源供給用のブスバ−１２とを収容する給電端子収容部４及び図示しない負荷側等の接続端子を収容する他端子収容部５が設けられている。また、絶縁ケ−ス２の給電端子収容部４と他端子収容部５とを区切る隔壁６の上部には、各中継端子１１の係合孔（係合部）１１ｂと上記負荷側等の接続端子の係合孔にそれぞれ係脱される一対の可撓性係止部７，７が設けられている。さらに、絶縁ケ−ス２の一側壁２ｃには縦長で矩形のスリット２ｄを形成してある。このスリット２ｄには、基部２１に各中継端子１１の基部１１ａ及び上記負荷側等の接続端子の基部をそれぞれ押さえる一対の端子押さえ部２２，２２と一対の可撓性係止部７，７間に挿入される撓み防止部２３とを備えたリテ−ナ（二重係止部材）２０′が挿入されるようになっている。
【０００３】
そして、ヒュ−ズボックス１′を組み立てる場合には、まず各中継端子１１の基部１１ａをブスバ−１２の各タブ１２ａに嵌め込んで給電端子１０を構成し、このようにして構成された給電端子１０を絶縁ケ−ス２の下端開口部２ｂ側より給電端子収容部４内に挿入すると、各中継端子１１の係合孔１１ａに可撓性係止部７の突起７ａが係止されて、その下抜けが阻止される。同様にして絶縁ケ−ス２の他端子収容部５に各負荷側等の接続端子を取り付ける。次に、絶縁ケ−ス２の一側壁２ｃのスリット２ｄからリテ−ナ２０′を挿入すると、その撓み防止部２３が一対の可撓性係止部７，７間に位置してその端子保持力を強めると共に、一対の端子押さえ部２２，２２が各中継端子１１と各負荷側等の接続端子の肩部と係合して端子の下抜けを二重に防止する。尚、このヒュ−ズボックス１に関する類似技術は、特開平６−２３１６７０号公報に開示されている。
【０００４】
【発明が解決しようとする課題】
しかしながら、前記従来のヒュ−ズボックス１′では、図７に示すように、給電端子１０を成す各中継端子１１の基部１１ａとブスバ−１２の各タブ１２ａとは該各中継基部１１ａ内においてへ字状のバネ部１１ｄを介してブスバ−１２の各タブ１２ａを圧接して接続しているため、振動等によりブスバ−１２のタブ１２ａがリテ−ナ２０′により抜け止めされている各中継端子１１の基部１１ａから脱落したり、その接続位置がずれたりして接触不良を起こす虞れがあった。
【０００５】
そこで、本発明は、前記した課題を解決すべくなされたものであり、振動等により給電端子側に外力が加わっても中継端子の基部からブスバ−が脱落したり位置ずれしたりすることがない絶縁ケ−スと給電端子の固定構造を提供することを目的とする。
【０００６】
【課題を解決するための手段】
請求項１の発明は、絶縁ケ−ス内に、給電端子を構成する中継端子と該中継端子の基部に圧接接続されたブスバ−とを収容する給電端子収容部を設け、この給電端子収容部内に前記中継端子の係合部に係脱される可撓性係止部を設け、これら中継端子の基部と可撓性係止部を挾持する端子押さえ部と撓み防止部とを備えた二重係止部材を前記絶縁ケ−スの一側壁に設けたスリットより挿入自在にした絶縁ケ−スと給電端子の固定構造において、前記ブスバ−の前記絶縁ケ−スの他側壁寄りの端部を折り曲げ形成し、この折曲部に前記二重係止部材の端子押さえ部が挿通係止される係合孔を形成したことを特徴とする。
【０００７】
この絶縁ケ−スと給電端子の固定構造では、二重係止部材により絶縁ケ−スにブスバ−が確実に固定され、中継端子の基部からブスバ−が脱落したりそれらの接続位置がずれたりすることがなく、中継端子とブスバ−の接触不良が確実に防止される。
【０００８】
請求項２の発明は、請求項１記載の絶縁ケ−スと給電端子の固定構造であって、前記ブスバ−の折曲部の一端を中継端子の電気接触部側まで延設し、この延設部に前記係合孔を形成する一方、前記絶縁ケ−スの他側壁の前記ブスバ−の折曲部の延設部に対向する位置に、該延設部を収容する凹部を形成したことを特徴とする。
【０００９】
この絶縁ケ−スと給電端子の固定構造では、絶縁ケ−スへのブスバ−の固定が確実なものとなり、中継端子とブスバ−との不完全嵌合が確実に防止される。
【００１０】
請求項３の発明は、請求項１記載の絶縁ケ−スと給電端子の固定構造であって、前記二重係止部材の端子押さえ部を撓み防止部よりも長く形成して、前記絶縁ケ−スの他側壁の前記二重係止部材の端子押さえ部に対向する位置に、該端子押さえ部の一部を収容する凹部を形成したことを特徴とする。
【００１１】
この絶縁ケ−スと給電端子の固定構造では、絶縁ケ−スに二重係止部材が確実に係止され、絶縁ケ−スにブスバ−が確実に固定される。
【００１２】
【発明の実施の形態】
以下、本発明の一実施形態を図面に基づいて説明する。
【００１３】
図１及び図２は本発明の一実施形態の絶縁ケ−スと給電端子の固定構造を備えたヒュ−ズボックスを示す斜視図及び断面図である。このヒュ−ズボックス１のボックス本体をなす絶縁ケ−ス２は上下端側が開口した筐型になっている。この絶縁ケ−ス２の上端開口部２ａはヒュ−ズ装着部となっていてその内部にはミニヒュ−ズＨのガタツキ防止を兼用する挿入ガイド３を備えている。また、絶縁ケ−ス２の内部には、給電端子１０を構成する各雌−雌中継端子１１と該各中継端子１１の筒状の基部１１ａ内にバネ部１１ｄと各分岐タブ１２ａを介してそれぞれ圧接接続された電源供給用のブスバ−１２とを収容する給電端子収容部４及び図示しない負荷側等の接続端子を収容する他端子収容部５が設けられている。
【００１４】
また、絶縁ケ−ス２の給電端子収容部４と他端子収容部５とを区切る隔壁６の上部には、各中継端子１１の係合孔（係合部）１１ｂと上記負荷側等の接続端子の係合孔にそれぞれ係脱される一対の可撓性係止部７，７が設けられている。また、絶縁ケ−ス２の一側壁２ｃには縦長で矩形のスリット２ｄを形成してある。このスリット２ｄには、基部２１に各中継端子１１の基部１１ａ及び上記負荷側等の接続端子の基部をそれぞれ押さえる一対の端子押さえ部２２ａ，２２ｂと一対の可撓性係止部７，７間に挿入される撓み防止部２３とを備えたリテ−ナ（二重係止部材）２０が挿入されるようになっている。
【００１５】
図１〜図３に示すように、ブスバ−１２の絶縁ケ−ス２の他側壁２ｅ寄りの端部は、図中前側にＬ字状に折り曲げられていると共に、該折曲部１３の上端（一端）側は中継端子１１の電気接触部１１ｃ側まで延設されている。この折曲部１３の延設部１３ａには、上記リテ−ナ２０の一方（図中前側）の端子押さえ部２２ａが挿通係止される係合孔１４を形成してある。また、絶縁ケ−ス２の他側壁２ｅの上記ブスバ−１２の折曲部１３の延設部１３ａに対向する位置には、該延設部１３ａを収容する凹部８を形成してある。そして、リテ−ナ２０の一方の端子押さえ部２２ａは撓み防止部２３及び他方の端子押さえ部２２ｂよりも長く形成してあり、絶縁ケ−ス２の他側壁２ｅの上記一方の端子押さえ部２２ａの端部に対向する位置に、該端子押さえ部２２ａの端部（一部）を収容する凹部９を形成してある。尚、給電端子１０は絶縁ケ−ス２の下端開口部２ｂ側より給電端子収容部４内に挿入されるようになっている。また、ミニヒュ−ズＨの一方の端子ｈは中継端子１１の電気接触部１１ｃに接触され、ミニヒュ−ズＨの他方の端子ｈは負荷側等の接続端子の電気接触部に接触されるようになっている。
【００１６】
以上実施形態のヒュ−ズボックス１によれば、該ヒュ−ズボックス１を組み立てる場合には、従来と同様に各中継端子１１の基部１１ａをブスバ−１２の各タブ１２ａに嵌め込んで給電端子１０を構成する。そして、給電端子１０を絶縁ケ−ス２の下端開口部２ｂ側より給電端子収容部４内に挿入すると、各中継端子１１の係合孔１１ａに可撓性係止部７の突起７ａが係止されて、その下抜けが阻止される。同様にして絶縁ケ−ス２の他端子収容部５に各負荷側等の接続端子を取り付ける。次に、絶縁ケ−ス２の一側壁２ｃのスリット２ｄからリテ−ナ２０を挿入すると、その撓み防止部２３が一対の可撓性係止部７，７間に位置してその端子保持力を強めると共に、一対の端子押さえ部２２ａ，２２ｂが各中継端子１１と各負荷側等の接続端子の肩部と係合して端子の下抜けを二重に防止する。
【００１７】
この際に、図２に示すように、リテ−ナ２０の端子押さえ部２２ａがブスバ−１２の折曲部１３の係合孔１４に挿入係止されるので、リテ−ナ２０により絶縁ケ−ス２にブスバ−１２を確実に固定することができ、中継端子１１の基部１１ａからブスバ−１２のタブ１２ａが脱落したりそれらの接続位置がずれたりすることがなく，中継端子１１とブスバ−１２の接触不良を確実に防止することができる。その結果、振動等により給電端子１０側に外力が加わっても中継端子１１の基部１１ａからブスバ−１２が脱落したり位置ずれしたりすることがない。
【００１８】
また、図３に示すように、ブスバ−１２を絶縁ケ−ス２に組み付ける際に、中継端子１１とブスバ−１２の嵌合が完全になされていない場合、リテ−ナ２０の端子押さえ部２２ａがブスバ−１２の折曲部１３の延設部１３ａに接触して係合孔１４内に挿入係止されないため、中継端子１１とブスバ−１２の不完全嵌合が容易にチェックされる。
【００１９】
尚、前記実施形態によれば、ヒュ−ズボックスに絶縁ケ−スと給電端子の固定構造を適用した場合を示したが、リレ−ボックスやジャンクションボックス等の他の電気接続箱に前記実施形態を適用しても良いことは勿論である。
【００２０】
【発明の効果】
以上説明したように、請求項１の発明の絶縁ケ−スと給電端子の固定構造によれば、ブスバ−の絶縁ケ−スの他側壁寄りの端部を折り曲げ形成し、この折曲部に二重係止部材の端子押さえ部が挿通係止される係合孔を形成したことにより、二重係止部材により絶縁ケ−スにブスバ−を確実に固定することができ、中継端子の基部からブスバ−が脱落したりそれらの接続位置がずれたりすることがなくなって中継端子とブスバ−の接触不良を確実に防止することができる。
【００２１】
請求項２の発明の絶縁ケ−スと給電端子の固定構造によれば、ブスバ−の折曲部の一端を中継端子の電気接触部側まで延設し、この延設部に係合孔を形成する一方、絶縁ケ−スの他側壁の前記ブスバ−の折曲部の延設部に対向する位置に、該延設部を収容する凹部を形成したことにより、絶縁ケ−スへのブスバ−の固定が確実なものとなり、中継端子とブスバ−との不完全嵌合を確実に防止することができる。
【００２２】
請求項３の発明の絶縁ケ−スと給電端子の固定構造によれば、二重係止部材の端子押さえ部を撓み防止部よりも長く形成して、絶縁ケ−スの他側壁の二重係止部材の端子押さえ部に対向する位置に、該端子押さえ部の一部を収容する凹部を形成したことにより、絶縁ケ−スに二重係止部材を確実に係止することができ、絶縁ケ−スにブスバ−を確実に固定することができる。
【図面の簡単な説明】
【図１】本発明の一実施形態の絶縁ケ−スと給電端子の固定構造を備えたヒュ−ズボックスの一部を断面で示す斜視図である。
【図２】上記ヒュ−ズボックスの断面図である。
【図３】上記ヒュ−ズボックスの要部の断面図である。
【図４】上記ヒュ−ズボックスの給電端子の係止固定状態を示す断面図である。
【図５】従来例の絶縁ケ−スと給電端子の固定構造を備えたヒュ−ズボックスの一部を断面で示す斜視図である。
【図６】従来例のヒュ−ズボックスの断面図である。
【図７】従来例のヒュ−ズボックスの給電端子の係止固定状態を示す断面図である。
【符号の説明】
２  絶縁ケ−ス
２ｃ  一側壁
２ｄ  スリット
２ｅ  他側壁
４  給電端子収容部
７  可撓性係止部
１０  給電端子
１１  中継端子
１１ａ  基部
１１ｂ  係合孔（係合部）
１１ｃ  電気接触部
１２  ブスバ−
１３  折曲部
１３ａ  延設部
１４  係合孔
２０  リテ−ナ（二重係止部材）
２２ａ  端子押さえ部
２３  撓み防止部
【図１】
0003545568.tif 000002
【図２】
0003545568.tif 000003
【図３】
0003545568.tif 000004
【図４】
0003545568.tif 000005
【図５】
0003545568.tif 000006
【図６】
0003545568.tif 000007
【図７】
0003545568.tif 000008